(57)【特許請求の範囲】
【請求項１】
撮影レンズによって、被写体像を撮像素子上に結像して画像信号に変換し、該画像信号をソフトフォーカス処理する画像処理手段を備えたデジタルカメラにおいて、
前記被写体までの距離を測定する測定手段と、
前記測定手段により測定された距離が近いほど、前記画像処理手段におけるソフトフォーカス処理の度合いを強くする制御手段と、を備えたことを特徴とするデジタルカメラ。
【請求項２】
前記制御手段は、前記撮影レンズの焦点距離と前記測定手段によって測定された前記被写体までの距離とで撮影倍率を算出し、前記撮影倍率が大きくなるに従って、ソフトフォーカス処理係数を大きくする、請求項１記載のデジタルカメラ。
【請求項３】
前記制御手段は、
前記ソフトフォーカス処理の対象となる対象画素データを中心とし、該対象画素データの周囲の画素データのそれぞれに、前記ソフトフォーカス処理係数を掛け、係数倍されたそれぞれの値を前記対象画素データに加算することで、前記対象画素データに前記ソフトフォーカス処理を施す、請求項２記載のデジタルカメラ。
【発明の詳細な説明】
【０００１】
【発明の属する技術分野】
本発明はデジタルカメラに関し、特に被写体像を意図的にぼかしたソフトフォーカス撮影を行う機能を有するデジタルカメラに関する。
【０００２】
【従来の技術】
被写体像を意図的にぼかして、ソフトな感じの写真（ソフトフォーカス写真）を撮りたい場合、銀塩カメラ（フィルム感光カメラ）ではレンズ光学系の球面収差を利用したソフトフォーカスレンズを使用したり、ソフトフォーカスフィルターを撮影レンズの前面に装着する光学的な方法を採っていた。
【０００３】
これに対してデジタルカメラの場合は、光学的な方法も可能ではあるが、撮影を行った後に、得られた画像データに対してコンピュータ等を用いた画像処理を行うことによってソフトフォーカス画像を得るようにしていた。
【０００４】
【発明が解決しようとする課題】
しかし、従来は、撮影した画像データに一定の強さのぼかし処理を施すものであり、被写体によっては十分な映像効果が得られない場合があった。
【０００５】
また、従来の画像処理では、一定の強さのぼかしを加えたとしても撮影倍率によって効果の度合いが異なることは考慮されていなかった。つまり、一定強度のソフトフォーカス処理を行った場合、高周波成分の多い被写体ほどその効果が現れやすいことが分かる。従って、撮影距離によらず一定強度のソフトフォーカス処理を行った場合には、遠景は撮影者の意図に反してソフトフォーカス効果が強く現れ、近景は撮影者の意図に反してソフトフォーカス効果が弱く表現されることになってしまうため、映像効果上の問題があった。
【０００６】
本発明は上記のような問題点を解消するためになされたもので、撮影者がソフトフォーカス効果の設定が可能であるデジタルカメラを提供することを第１の目的とし、撮影距離によらず一定のソフトフォーカス効果を表現できるデジタルカメラを提供することを第２の目的とする。
【０００７】
【課題を解決するための手段】
本発明に係る請求項１記載のデジタルカメラは、撮影レンズによって、被写体像を撮像素子上に結像して画像信号に変換し、該画像信号をソフトフォーカス処理する画像処理手段を備えたデジタルカメラにおいて、前記被写体までの距離を測定する測定手段と、前記測定手段により測定された距離が近いほど、前記画像処理手段におけるソフトフォーカス処理の度合いを強くする制御手段とを備えている。
【０００９】
【発明の実施の形態】
＜Ａ．デジタルカメラの基本的な構成および動作＞
まず、図１および図２を用いてデジタルカメラの基本的な構成および動作について説明する。図１は本発明に係るデジタルカメラの画像処理方法を実現するための構成を備えたデジタルカメラ１００のブロック図である。
【００１０】
図１に示すように、デジタルカメラ１００はメインマイクロコンピュータ（以後、メインマイコンと略称）１を備え、以下に説明する各構成の機能を制御する構成となっている。
【００１１】
メインマイコン１で制御される構成は、被写体からの反射光を受光し被写体の距離情報を出力する測距モジュール２（測定手段）、撮影者がデジタルカメラ１００を操作するための電源スイッチ、およびソフトフォーカス処理の強弱の設定や、撮影距離（撮影倍率）に応じてソフトフォーカス処理の強弱を自動的に設定するためのモード設定ダイアル３０（設定手段）を含むスイッチ群３、デジタルカメラ１００ごとの機種差に関する工場出荷時の検査値、および電源オフ直前の各種設定値等を記録する電気的に書き換え可能なＲＯＭ（ＥＥＰＲＯＭ）４、被写体画像および撮影のための設定値を表示する液晶ディスプレイ（ＬＣＤ）等の表示部材５、パーソナルコンピュータや外部モニターに対して画像情報等を入出力するための外部インタフェース６、撮影した画像情報を記録する脱着可能な記録媒体７、撮影された画像データを演算処理するためのＲＡＭ８、レンズを介して被写体像を撮像する固体撮像素子（ここではＣＣＤを使用しているのでＣＣＤと呼称する場合も有り）９、固体撮像素子９を駆動させるためのパルスを発生させる撮像素子ドライバ（タイミングジェネレータ：ＴＧと呼称する場合も有り）１０、固体撮像素子９から出力された画像のアナログ信号を増幅するアナログアンプ１１、アナログアンプ１１によって増幅された画像アナログ信号をデジタル変換し、メインマイコン１に出力するＡ／Ｄコンバータ１２、フォーカスレンズ群１４を光軸方向に駆動させるとともに、フォーカスレンズ群１４の位置を検出するフォーカスドライバ・位置検出センサ１３等である。
【００１２】
なお、フォーカスレンズ群１４は撮像光学系である撮像レンズ群の一部を構成しており、撮像レンズ群はフォーカスレンズ群１４の他に固定された固定レンズ群１４１を有している。
【００１３】
図２にモード設定ダイアル３０の構成を示す。図２に示すようにモード設定ダイアル３０は、ソフトフォーカス処理のＯＮ／ＯＦＦの切り換え、ソフトフォーカス処理の自動設定、ソフトフォーカス処理の強弱の手動設定ができる構成となっている。
【００１４】
図３は固体撮像素子９の基本構成を説明する概念図である。固体撮像素子９は複数の受光セル２１が配列された受光セル列２１Ｌが複数配列されて構成されている。受光セル２１は光エネルギーを電気エネルギーに変換する光電変換素子で構成され、受光セル２１に光が照射されると電荷が発生し、発生した電荷を撮像素子ドライバ１０により生成される所定のタイミングに応じて出力したものが画像信号となる。
【００１５】
図３においては、受光セル列２１Ｌに併設される転送ゲート２２を開く（受光セル２１の電荷を移動させるようにポテンシャル井戸の深さを変更する）ことで各受光セル２１の電荷が転送ゲート２２に併設される転送レジスタ２３に排出される。転送レジスタ２３に排出された電荷は、ポテンシャル井戸の深さを順次変更することで電荷を移動させるＣＣＤ動作によって転送レジスタ２３中を移動し、転送レジスタ２３に直交する読み出しレジスタ２４に転送される。読み出しレジスタ２４においてもＣＣＤ動作により電荷が転送され、出力部２５から外部に出力される。なお、転送レジスタ２３および読み出しレジスタ２４は遮光され、それ自体が光電変換を起こすことはない。
【００１６】
固体撮像素子９から出力される画像信号はアナログ値であり、微弱であるのでアナログアンプ１１によって増幅され、Ａ／Ｄコンバータ１２によってデジタル値に変換されてメインマイコン１に与えられる。メインマイコン１では与えられたデジタル画像信号に種々の画像処理を施して表示部材５に被写体画像として表示するとともに、撮影者の操作に応じてＪＰＥＧ方式に基づいて圧縮し記録媒体７に記録する。なお、画像処理に際してメインマイコン１に内蔵されているメモリだけでは対処できない場合があるので、ＲＡＭ８を用いて演算処理等を行う。なお、上記にようにメインマイコン１は画像信号に、種々の画像処理（後に説明するソフトフォーカス処理を含む）を施すので画像処理手段としての機能を有すると共に、画像処理の制御や、後に説明するソフトフォーカス処理の度合いを制御する制御手段としての機能も有している。
【００１７】
デジタルカメラ１００は撮影モードと再生モードとが切り換え可能であり、撮影モード状態にある場合は、固体撮像素子９は常に画像信号を出力しており、表示部材５には被写体画像が動画像として表示されていることになる。撮影者は表示部材５の画像が所望の画像になったときに露光開始用スイッチを押せば、当該所望の画像の画像データを記録媒体７に記録できる。一方、デジタルカメラ１００が再生モード状態にある場合には、記録媒体７に記録されている画像データが表示部材５上に表示可能である。
【００１８】
＜Ｂ．発明に係る動作＞
次に、図４〜図７を用いて本発明に係る動作について説明する。なお、図４〜図８は本発明に係る動作を説明するフローチャートであり、記号▲１▼〜▲６▼を付した部分は同じ記号どうしで接続されることを意味している。
【００１９】
＜Ｂ−１．予備動作＞
まず、本撮影に入る前の予備動作について説明する。図４に示すように、電源スイッチをオン状態にすると（ステップＳＴ１）、メインマイコン１がリセットされる（ステップＳＴ２）。リセットによりメインマイコン１の各ポートはデフォルト状態になっているので、使用すべきポートを設定するなどメインマイコン１の初期設定を行う（ステップＳＴ３）。
【００２０】
次に、機種差に関する工場出荷時の検査値、および前回電源オフ直前の各種設定値、例えばフラッシュモードの種類あるいは画像圧縮モードの種類等をＥＥＰＲＯＭ４から読み出す（ステップＳＴ４）。
【００２１】
次に、記録媒体７の有無、種類および種類に基づく記録可能容量を確認し（ステップＳＴ５）、フォーカスドライバ・位置検出センサ１３によりレンズの位置をモニターしながらフォーカスレンズ群１４をＥＥＰＲＯＭ４に設定された初期位置に移動（ステップＳＴ６）させた後、表示部材５を起動させる（ステップＳＴ７）。この段階では固体撮像素子９は動作しておらず、撮影者に表示部材５の起動を知らせるために表示部材５が点灯するだけである。このとき、前回電源オフ直前の各種設定値や記録媒体７の記録可能容量等を表示して撮影者に告知する。
【００２２】
そして、メインマイコン１は撮像動作の予備として撮像素子ドライバ（ＴＧ）１０に、例えば露光時間を１／３０秒に設定するなどの初期設定を行う（ステップＳＴ８）。ここで、露光時間とは受光セル２１に電荷を蓄積する時間であり、いわゆるシャッタースピード（ＳＳと呼称する場合も有り）値と言うことができる。
【００２３】
撮像素子ドライバ１０の初期設定が完了し、撮像素子ドライバ１０が動作することで固体撮像素子９から画像信号が出力され、表示部材５に画像が表示される。このとき、アナログアンプ１１のゲインも所定の初期値、例えば１倍に設定される（ステップＳＴ９）。
【００２４】
そして、メインマイコン１は表示部材５に画像を表示しながら、スイッチ群３のスイッチ操作を監視し（ステップＳＴ１０）、次のカメラ操作のために待機する。なお、メインマイコン１内部のタイマー機能によって一定時間、撮影者がスイッチ群３によるカメラ操作を行わなければ消費電力の節約のため電源をオフ状態にする。通常、この一定時間は数分程度に設定されている。
【００２５】
撮影者がスイッチ群３のうちモード設定ダイアル３０を回転させることで、通常モードからソフトフォーカスモードへの変更を行い、さらにスイッチ群３のうちの露光開始用スイッチ（以後、レリーズスイッチと呼称）の半押し操作（以後、Ｓ１操作と呼称）を行うと、メインマイコン１がそれを検知し（ステップＳＴ１１）、図５に示すステップＳＴ１２において、測距モジュール２を駆動させてカメラから被写体までの距離情報を得る（ステップＳＴ１２）。なお、レリーズスイッチがＳ１操作状態にならない場合はステップＳＴ１０以下の動作を繰り返す。
【００２６】
なお、撮影者がＳ１操作を行う際に光学ファインダー（図示せず）中に被写体を捕捉することで、測距モジュール２は被写体からの反射光を受光することになり、カメラから被写体までの距離についての情報が得られる。ここで、測距モジュール２としては、従来からの外光パッシブモジュール等を使用する。
【００２７】
また、測距原理について一般的であるので詳細説明は省略するが、測距モジュール２の出力は距離に対応した値として与えられ、その対応関係の情報がＥＥＰＲＯＭ４に出荷前の検査値として記録されている。従って、測距モジュール２の出力から被写体距離を求め、ＥＥＰＲＯＭ４に予め記録されている撮影レンズの焦点距離情報と照合することで被写体に合焦すべきフォーカスレンズ群１４の繰り出し量（繰り出し情報）を算出する（ステップＳＴ１３）。
【００２８】
そして、ステップＳＴ１３で算出したフォーカスレンズ群１４の繰り出し情報に基づいて、メインマイコン１がフォーカスドライバ・位置検出センサ１３を制御してフォーカスレンズ群１４を駆動し、その位置を位置検出センサでモニターすることで目標位置まで移動させる（ステップＳＴ１４）。
【００２９】
先に説明したように、デジタルカメラ１００が撮影モード状態にある場合は、固体撮像素子９は常に画像信号を出力しているので、光学ファインダー（図示せず）中に被写体を捕捉すると被写体が固体撮像素子９に撮像され（ステップＳＴ１５）、当該被写体の画像データがメインマイコン１に取り込まれる（ステップＳＴ１６）。
【００３０】
メインマイコン１は被写体の明るさ情報から被写体が適正露光となる露光制御値を算出する。ここで、露光制御値としては受光セル２１に電荷を蓄積する時間（露光時間）を規定する、いわゆるシャッタースピード（ＳＳと呼称する場合も有り）値と、アナログアンプ１１のゲイン等がある。なお、シャッタースピードとは最も単純には、図３の構成を例に採れば、受光セル２１の電荷を排出して転送ゲート２２が閉じ、次に開くまでの時間で定義される。
【００３１】
そして、メインマイコン１は算出したゲインをアナログアンプ１１に、シャッタースピード値を撮像素子ドライバ１０に設定する（ステップＳＴ１７）。
【００３２】
次に、メインマイコン１はモード設定ダイアル３０の設定位置を判別することにより、ソフトフォーカス自動設定モードか否かを判別する（ステップＳＴ１８）。そして、ソフトフォーカス自動設定モードである場合は、ステップＳＴ１３で算出した被写体距離と、ＥＥＰＲＯＭ４に予め記憶されている撮影レンズの焦点距離情報とから撮影倍率βを算出する。ここで、撮影倍率の算出式は、撮影倍率＝焦点距離／被写体距離である（ステップＳＴ１８１）。
【００３３】
次に、メインマイコン１は撮影倍率が１／３０以上かどうかを判別する（ステップＳＴ１８２）。撮影倍率βが１／３０以上の場合には、強いソフトフォーカス処理係数を設定し（ステップＳＴ１８３）、そうでない場合は弱いソフトフォーカス処理係数を設定する（ステップＳＴ１８４）。これにより撮影倍率βが大きくなる近景に対しては強いソフトフォーカス処理を行い、撮影倍率βが小さくなる遠景に対しては弱いソフトフォーカス処理を行う。その結果、撮影距離（撮影倍率）に係わらず、一定のソフトフォーカス効果を達成することが可能となる。なお、撮影倍率１／３０はソフトフォーカス処理係数設定のための目安値であり、必ずしもこの値に限定されるものではない。
【００３４】
ここで、強いソフトフォーカス処理、弱いソフトフォーカス処理について説明する。ソフトフォーカス処理の手法の一例としては、ソフトフォーカス処理の対象となる画素データに、それに隣接する画素データに所定の係数を掛けた値を足し合わせるという手法がある。この手法について図８および図９を用いてさらに説明する。
【００３５】
図８は弱い（ぼかしが弱い）ソフトフォーカス処理を説明する行列式であり、図９は強い（ぼかしが強い）ソフトフォーカス処理を説明する行列式である。図８および図９においては、画素データの配列に対応して係数が配置されており、ソフトフォーカス処理の対象となる画素データ（以後、対象画素データと呼称）に対応するように係数１が行列式の中央に位置している。
【００３６】
図８に示すように、対象画素データ（すなわち係数１の画素データ）に上下左右で隣接する画素データは何れも１／７倍され、対象画素データの対角位置にある画素データは何れも１／１０倍されている。そして、係数倍されたそれぞれの値を対象画素データに加算することでソフトフォーカス処理が施されることになる。従って、対象画素データの値はソフトフォーカス処理前よりも大きくなる。そして、１つの画素データに対する処理が終わると、次の対象画素データに対してソフトフォーカス処理を行う。
【００３７】
例えば、図８に示す係数１の画素データの左隣の画素データが次の対象画素データとなるのであれば、係数１の画素データの値が係数倍されて次の対象画素データに加えられるが、その場合、係数倍されるのはソフトフォーカス処理前のデータである。そのため、ＲＡＭ８内にはソフトフォーカス未処理のデータを記憶しておくエリアと、ソフトフォーカス処理済みのデータを記憶しておくエリアとが設けられている。
【００３８】
このような処理を各画素データのそれぞれに行うことで、各画素データには、その周囲の画素データを係数倍した値が加算されることになるので、画素データ間での極端なデータ差が無くなり、画像としてはコントラストや輪郭のぼやけた画像が得られることになる。
【００３９】
なお、強いソフトフォーカス処理を行う場合も同様の処理を行うが、この場合には係数値を大きくするとともに、係数倍される画素データの個数を多くすることになる。すなわち、図９に示すように対象画素データ（すなわち係数１の画素データ）に上下左右で隣接する画素データは何れも１／３．５倍され、対象画素データの対角位置にある画素データは何れも１／５倍され、１／３．５倍された画素データに隣接する外周の画素データは何れも１／７倍され、１／５倍された画素データに隣接する外周の画素データは何れも１／８倍され、１／５倍された画素データの対角位置にある外周の画素データは何れも１／１０倍されるようになっている。そして、係数倍されたそれぞれの値を対象画素データに加算することでソフトフォーカス処理が施されることになる。
【００４０】
なお、図８および図９に示したソフトフォーカス処理係数は、ＥＥＰＲＯＭ４に予め記憶されている。
【００４１】
そして、図５に示すステップＳＴ１８においてソフトフォーカス自動設定モードでないと判別された場合は、図６に示すようにメインマイコン１はモード設定ダイアル３０がソフトフォーカスモードの強、弱の何れかに設定されているか否かを確認し（ステップＳＴ１９）、ソフトフォーカスモードの強、弱の何れかに設定されている場合には、弱いソフトフォーカス処理係数を設定する（ステップＳＴ２０）。
【００４２】
ここで、ソフトフォーカスモードでない場合、すなわちモード設定ダイアル３０がＯＦＦに設定されている場合は、メインマイコン１はレリーズスイッチのＳ１操作の有無を確認し（ステップＳＴ２３）、Ｓ１操作がオフされていない場合（撮影者がレリーズスイッチから指を離していない場合）は、撮影者がレリーズスイッチの全押し操作（Ｓ２操作と呼称）を行うまで待機する。なお、Ｓ１操作がオフされている場合はステップＳＴ１０以下の動作を繰り返すことになる。
【００４３】
次に、メインマイコン１はモード設定ダイアル３０が強いソフトフォーカスモードに設定されているか否かを確認し（ステップＳＴ２１）、強いソフトフォーカスモードに設定されている場合は、強いソフトフォーカス処理を行う場合の処理係数を設定し更新する（ステップＳＴ２２）。
【００４４】
なお、強いソフトフォーカスモードに設定されていない場合、すなわち弱いソフトフォーカスモードに設定されている場合は、ステップＳＴ２０で設定した処理係数を用いてステップＳＴ２３以後の動作を続ける。
【００４５】
次に、メインマイコン１はレリーズスイッチのＳ１操作の有無を確認し（ステップＳＴ２３）、Ｓ１操作がオフされていない場合（撮影者がレリーズスイッチから指を離していない場合）は、撮影者がレリーズスイッチの全押し操作（Ｓ２操作と呼称）を行うまで待機する。なお、Ｓ１操作がオフされている場合はステップＳＴ１０以下の動作を繰り返すことになる。
【００４６】
＜Ｂ−２．本撮影＞
メインマイコン１がＳ２操作を検知した後は本撮影動作に入る。まず、図７に示すように、ステップＳＴ１７（図５参照）で求めた適正シャッタースピードとなるように固体撮像素子９を制御して撮像動作を行う（ステップＳＴ２５）。撮像終了後、固体撮像素子９からの画像信号は、ステップＳＴ１７において算出された適正ゲインに設定されたアナログアンプ１１によって増幅され、Ａ／Ｄコンバータ１２によってデジタル出力に変換され、デジタル画像データとしてメインマイコン１に取り込まれる（ステップＳＴ２６）。
【００４７】
そして取り込まれた画像データは、色バランス処理等の一般的な画像処理を施され（ステップＳＴ２７）、メインマイコン１においてソフトフォーカスモードであるか否かが判定され（ステップＳＴ２８）、ソフトフォーカスモードである場合は、図５に示すステップＳＴ１８３あるいはステップＳＴ１８４、図６に示すステップＳＴ２０あるいはステップＳＴ２２で設定した処理係数に基づいてソフトフォーカス処理を行う（ステップＳＴ２９）。
【００４８】
この後は、記録媒体７に記録するため、ＲＡＭ８上でソフトフォーカス処理済みデータを圧縮し（ステップＳＴ３０）、圧縮されたソフトフォーカス処理済みデータは記録媒体７に記録される（ステップＳＴ３１）。画像データは一般的にデータサイズが大きいので、記録媒体７により多く記録するためにデータ圧縮が行われる。一般的な圧縮方式としてＪＰＥＧ方式を用いる。
【００４９】
ステップＳＴ３１の終了後、メインマイコン１は撮影者がＳ１およびＳ２操作を行っているか否かを確認し、Ｓ１およびＳ２操作を行っていないことを検知した場合、すなわちレリーズスイッチから指を離した場合には図４に示すステップＳＴ１０以下の動作を繰り返す。なお、Ｓ１およびＳ２操作を行っている場合、すなわちレリーズスイッチから指を離していない場合は、指を離すまでレリーズスイッチの確認動作を続ける。
【００５０】
なお、ステップＳＴ２８においてソフトフォーカスモードでないと判定された場合、すなわち通常の撮影モードの場合も、ステップＳＴ３０〜ＳＴ３２の撮影動作を行うが、この場合は、通常の画像データが圧縮され記録媒体７に記録されることになる。
【００５１】
以上が本発明に係るデジタルカメラの動作であるが、撮影された映像データを記録媒体７に記録するだけでなく、外部インタフェース６にパーソナルコンピュータ等の外部機器を接続し、そこに出力しても構わない。なお、記録媒体７としては、スマートディア、コンパクトフラッシュ（ＣＦ）カード、ＰＣメモリーカード等がある。
【００５２】
また、外部インタフェース６を介して外部機器からのカメラ制御も可能である。なお、外部インタフェース６としてはＲＳ−４２２等のシリアルケーブルを接続可能な端子、テレビ受像機への出力に対応したＮＴＳＣ出力端子、プリンターへのプリンター出力端子等がある。
【００５３】
＜Ｂ−３．特徴的作用効果＞
以上説明したように、本発明によるデジタルカメラによれば、強いソフトフォーカスモードと、弱いソフトフォーカスモードの少なくとも２段階のモード設定によるソフトフォーカス撮影が可能となり、撮影者がソフトフォーカスの使用目的に応じて使い分けることができる。また、被写体の撮影倍率に合わせてソフトフォーカス処理の度合いを変更することで、被写体の撮影倍率に左右されず均一なソフトフォーカス効果を有した画像を得ることができる。
【００５４】
＜Ｂ−４．変形例＞
なお、以上の説明においては、ソフトフォーカスモードを強弱の２種類に設定可能な例について説明したが２種類に限定されるものではない。また、選択的に変更できるようにしても良い。
【００５５】
また、以上の説明においては、ソフトフォーカスモードの処理係数がＥＥＰＲＯＭ４に予め設定されている例について示したが、撮影者がソフトフォーカスの強弱を、例えば表示部材５に表示されるメニュー画面から任意の強さに設定できるようにしても良い。
【００５６】
【発明の効果】
本発明に係る請求項１記載のデジタルカメラによれば、被写体の距離が近い場合には、ソフトフォーカス処理の度合いを強くするので、撮影距離によらず一定のソフトフォーカス効果を達成することが可能となる。
【図面の簡単な説明】
【図１】  本発明に係るデジタルカメラの画像処理方法を実現する構成を備えたデジタルカメラを示すブロック図である。
【図２】  モード設定ダイアルの構成を説明する図である。
【図３】  固体撮像素子の構成および動作を説明する概念図である。
【図４】  本発明に係るデジタルカメラの画像処理方法を説明するフローチャートである。
【図５】  本発明に係るデジタルカメラの画像処理方法を説明するフローチャートである。
【図６】  本発明に係るデジタルカメラの画像処理方法を説明するフローチャートである。
【図７】  本発明に係るデジタルカメラの画像処理方法を説明するフローチャートである。
【図８】  ソフトフォーカス処理の手法の一例を説明する図である。
【図９】  ソフトフォーカス処理の手法の一例を説明する図である。
【符号の説明】
３０  モード設定ダイアル。
【図１】
0003807109.tif 000002
【図２】
0003807109.tif 000003
【図３】
0003807109.tif 000004
【図４】
0003807109.tif 000005
【図５】
0003807109.tif 000006
【図６】
0003807109.tif 000007
【図７】
0003807109.tif 000008
【図８】
0003807109.tif 000009
【図９】
0003807109.tif 000010